(57)【要約】【課題】安価に入手できて、副作用無く即効性を期待することのできる脳機能活性化シートを提供する。【解決手段】繊維からなり柔軟性を有するラッセル編みされた織物などからなるシート本体と、黒鉛珪石粉末５重量％以上、バインダー及び必要によりトルマリン、花崗岩など黒鉛珪石以外の無機粉末からなり、黒鉛珪石が１平米当たり２０ｇ以上となるように前記シート本体の主面にパターン印刷された印刷層とを備えることを特徴とする。【選択図】なし【特許請求の範囲】
【請求項１】
繊維からなり柔軟性を有するシート本体と、
黒鉛珪石粉末５重量％以上、バインダー及び必要により黒鉛珪石以外の無機粉末からなり、黒鉛珪石が１平米当たり２０ｇ以上となるように前記シート本体の主面にパターン印刷された印刷層と
を備えることを特徴とする脳機能活性化シート。
【請求項２】
前記無機粉末がトルマリン及び／又は花崗岩の粉末である、請求項１に記載のシート。
【請求項３】
前記バインダーが７５重量％以下である、請求項１に記載のシート。
【請求項４】
前記印刷層中、前記黒鉛珪石粉末が４０重量％以上、前記バインダーが４５重量％以上で、黒鉛珪石が１平米当たり１６０ｇ以上となるように前記パターン印刷されている、請求項１に記載のシート。
【請求項５】
前記シート本体が、ラッセル編みされた織物、不織布、及び綿のいずれかである、請求項１に記載のシート。
【請求項６】
前記バインダーが親水性又は親油性を有し、前記シート本体が前記バインダーにぬれる性質を有する、請求項１に記載のシート。
【発明の詳細な説明】
【技術分野】
【０００１】
この発明は、脳機能を活性化するシートに関する。
【背景技術】
【０００２】
脳機能を活性化したり、改善したりする方法を大別すると、体外の装置を用いる方法（特許文献１）と、経口剤を摂取する方法（特許文献２−５）とがある。
【先行技術文献】
【特許文献】
【０００３】
【特許文献１】再表2009/069756号公報
【特許文献２】特開2018-039797号公報
【特許文献３】特開2018-048175号公報
【特許文献４】特開2018-070464号公報
【特許文献５】特開2018-199643号公報
【発明の概要】
【発明が解決しようとする課題】
【０００４】
しかし、前者は装置が大がかりで高価なものなので、利用者が限られる。後者は、即効性を期待することができないし、副作用の懸念もある。
それ故、この発明の課題は、安価に入手できて、副作用無く即効性を期待することのできる脳機能活性化シートを提供することにある。
【課題を解決するための手段】
【０００５】
その課題を解決するために、この発明の脳機能活性化シート（以下、単に「シート」ともいう。）は、
繊維からなり柔軟性を有するシート本体と、
黒鉛珪石粉末５重量％以上、バインダー及び必要により黒鉛珪石以外の無機粉末からなり、黒鉛珪石が１平米当たり２０ｇ以上となるように前記シート本体の主面にパターン印刷された印刷層と
を備えることを特徴とする。
【０００６】
このシートを使用するときは、使用者の体の一部、例えば手のひら、腹、背中、首、額などを前記印刷層に触れさせる。触れた瞬間から脳波のうちのミッドα波の占有率及び／又は電圧が増し、数分間触れた状態を保った後は非接触の状態になってもしばらく前記占有率及び／又は電圧が維持される。印刷層が設けられていないシート本体や、黒鉛珪石粉末を含有しない印刷層や、黒鉛珪石自体に触れてもミッドα波の占有率や電圧が増すことは無い。従って、前記作用は、前記シート本体と前記印刷層との組み合わせに基づく特有の作用であると認められる。
【０００７】
前記無機粉末がトルマリン及び／又は花崗岩の粉末であるときは、これらを適量添加することにより、前記作用が増長してよい。特に被験者が認知症患者である場合、これらを添加したシートを使用することにより、θ波の電圧が増す。これは、患者が落ち着いた状態になることを示す。前記バインダーは、前記印刷層中の７５重量％以下であるのが好ましい。印刷層をシート本体に固定するバインダーの機能を発揮するには７５重量％までで十分だからである。
【０００８】
前記印刷層の好ましい構成は、前記黒鉛珪石粉末が４０重量％以上、前記バインダーが４５重量％以上で、黒鉛珪石が１平米当たり１６０ｇ以上となるように前記パターン印刷がなされているものである。
前記シート本体として好ましいのは、ラッセル編みされた織物、不織布、及び綿のいずれかである。いずれにしても市販品であってよい。これらのものは、暖かくて感触もよく、黒鉛珪石やその他の無機粉末の冷たさを相殺してくれるからである。
前記バインダーは通常、有機物であるが、水とのエマルションタイプであってよい。
【発明の効果】
【０００９】
以上のように、この発明の脳機能活性化シートは、所定のシート本体と印刷層とを備えるだけでよいので、安価に製造可能である。そして、触れるだけでミッドα波の占有率及び／又は電圧が増すので、副作用無く即効性を有する。そのため、計算、記憶、思考などの頭脳労働をする直前あるいはしている間に触れることで能力をより大きく発揮することができる。また、スポーツでの集中力向上、質の良い睡眠、ストレスの影響の緩和などにも有効である。従って、レッグウォーマー、アイマスク、腹巻、サポーター、枕カバー、リストバンド、シーツ、スポーツ用具、筆記具など様々な製品に適用しうる。
【実施例】
【００１０】
［実施例１−９］
黒鉛珪石並びに場合によりトルマリン及び花崗岩を粒度２５０ミクロン以下に粉砕して表１に示す組成でバインダーと混合し、印刷インクを調合した。バインダーとしては、固形分４２〜４３％で残部ほとんど水のアクリル酸アルキル共重合体エマルションを用いた。表１中の黒鉛珪石使用量は、１平米当たりの重量を示す。
【００１１】
シート本体としてポリエチレン糸をダブルラッセル編みした厚さ３ｍｍの平織物を準備し、その一方の主面に対角長１５ｍｍの六角形が１．５ｍｍの間隔を開けて最密に配列したパターンとなるように前記インクを印刷し、乾燥させることにより、実施例１−９の脳機能活性化シートを製造した。
【００１２】
得られた脳機能活性化シートを印刷層が外側になるように筒状に曲げ、被験者の前に置いた。株式会社能力開発研究所のalphatec7を用いて、先ず脳機能活性化シートに触れない状態で被験者の脳波を２〜４分間測定し、続いて筒状に曲げられた前記脳機能活性化シートの外側を軽く握るようにして触れた状態で被験者の脳波を４分間測定した。そして、シートに触れない状態で測定されたミッドα波の占有率及び電圧を基準として、シートに触れた状態で測定されたミッドα波の占有率及び電圧の増減割合を算出した。同様にしてθ波の占有率及び電圧の増減割合を算出した。各実施例ごとの増減割合の平均値を表１に示す。
【００１３】
【表１】
2020175189.tif 000002
【００１４】
表１に示すように、実施例１−９のシートのいずれに触れてもミッドα波の占有率が増加した。それらの中でも、印刷層中の黒鉛珪石の含有量が高いほどミッドα波占有率の増加率も高かった。また、実施例１と実施例２、３との比較、実施例５と実施例４、６との比較、実施例７と実施例８、９との比較から判るように、無機成分として黒鉛珪石のみの場合よりもトルマリン又は花崗岩を共存させたほうがミッドα波の占有率及び電圧がともに大きく増加した。トルマリン又は花崗岩を共存させた場合は、θ波の電圧も増加した。
【００１５】
［比較例１］
実施例１−９のシートの外側を軽く握ることに変えて黒鉛珪石単体、トルマリン単体、及び花崗岩単体に直接手を触れた状態でそれぞれ測定した以外は、実施例１−９と同様にして脳波を測定し、触れていない状態からのミッドα波及びθ波の占有率及び電圧の増減割合を算出したところ、いずれも有意の増加は確認されなかった。
【００１６】
［比較例２］
実施例１−９のシートの外側を軽く握ることに変えて黒鉛珪石粉末、トルマリン粉末、及び花崗岩粉末に直接手を触れた状態でそれぞれ測定した以外は、実施例１−９と同様にして脳波を測定し、触れていない状態からのミッドα波及びθ波の占有率及び電圧の増減割合を算出したところ、いずれも有意の増加は確認されなかった。
【００１７】
［実施例１０］
実施例２のシートと同形同質のシートを用いてアルツハイマー型認知症患者３４人を被験者とし、実施例２と同様に脳波を測定し、ミッドα波及びθ波の占有率及び電圧の増減割合を算出した。その結果、ミッドαの占有率は平均で１１．８８％減ったが、電圧は１５９．７０％まで増し、θ波の占有率は９．０６％増し、電圧は３５０．９７％まで増した。